(57)【要約】【課題】温室内で栽培される花卉や野菜等の植物を飛来害虫から保護する飛来害虫防除システムにおいて、一種類の防除装置だけでは、種々の飛来害虫による植物の被害を、栽培環境に応じて確実に抑制できず、植物の効果的な保護が図れないという問題を改善する。【解決手段】黄色蛍光灯１３と、青色蛍光灯１５と、飛来害虫を捕捉する捕虫器２２，２６と、前記温室内外に配置した各種センサやスイッチを含む複数の入力系機器１６と、当該各入力系機器１６の制御情報に基づいて前記各蛍光灯１３，１５の点灯及び消灯を制御する制御手段としてのコントローラ１７とを備える。【選択図】  図４
2005046018.tif 000002
【特許請求の範囲】
【請求項１】
温室内で栽培される花卉や野菜等の植物を飛来害虫から保護する飛来害虫防除システムであって、飛来害虫の忌避や行動抑制を促す忌避灯と、飛来害虫を引き寄せる誘引灯と、飛来害虫を捕捉する捕虫器と、前記温室内外に配置した各種センサやスイッチを含む複数の入力系機器と、当該各入力系機器の制御情報に基づいて前記各灯の点灯及び消灯を制御する制御手段とを備えたことを特徴とする飛来害虫防除システム。
【請求項２】
前記制御手段は、前記温室に開閉可能に設けた窓が開放している場合には、前記忌避灯のみを点灯するように制御し、前記窓が閉止している場合には、前記誘引灯のみを点灯するように制御することを特徴とする請求項１に記載した飛来害虫防除システム。
【請求項３】
前記入力系機器群のうち一つは前記温室内の雰囲気湿度を検出する湿度センサであり、
前記制御手段は、前記湿度センサの制御情報により前記温室内の雰囲気湿度が設定湿度以上であると判断した場合には、前記誘引灯のみを点灯するかまたは前記両灯とも消灯するように制御することを特徴とする請求項１または２に記載した飛来害虫防除システム。
【請求項４】
前記入力系機器群のうち一つは前記温室内の雰囲気温度を検出する温度センサであり、
前記制御手段は、前記温度センサの制御情報により前記温室内の雰囲気温度が設定温度以下であると判断した場合には、前記両灯とも消灯するように制御することを特徴とする請求項１〜３のうちいずれかに記載した飛来害虫防除システム。
【請求項５】
前記入力系機器群のうち一つは計時用のタイマであり、
前記制御手段は、前記植物の生育初期には、前記忌避灯のみを点灯するように制御することを特徴とする請求項１〜４のうちいずれかに記載した飛来害虫防除システム。
【請求項６】
前記入力系機器群のうち一つは前記温室外の照度を検出する光センサであり、
前記制御手段は、前記光センサの制御情報により前記温室外の照度が設定照度以上であると判断した場合には、前記両灯とも消灯するように制御することを特徴とする請求項１〜５のうちいずれかに記載した飛来害虫防除システム。
【発明の詳細な説明】
【０００１】
【発明の属する技術分野】
本発明は、花卉、野菜及び果樹等の植物を飛来害虫から保護する飛来害虫防除システムに関するものである。
【０００２】
【従来の技術】
従来、例えばアケビコノハ等のヤガ類やハスモンヨトウ等のヨトウムシ類のような飛来害虫から花卉、野菜及び果樹等の植物を保護するための防除装置としては、波長域が５６０〜５９０ｎｍ程度の黄色光線を発する黄色蛍光灯を備えたもの（特許文献１参照）と、波長域が５００ｎｍ以下の青色光線（紫外線を含む）を発する青色蛍光灯を備えたもの（特許文献２参照）とが知られている。
【０００３】
前者の防除装置は、黄色光線で行動が抑制されるというヤガ類等の習性を利用したものである。すなわち、黄色蛍光灯の照明により、ヤガ類等が植物を栽培する温室内に侵入するのを防止するとともに、ヤガ類等が温室内で産卵するのを抑制するというものである。
【０００４】
後者の防除装置は、青色光線に誘引されやすいというヤガ類等の習性を利用したものである。すなわち、青色光線に誘引されたヤガ類等を、例えば粘着テープで捕捉したり吸引ファンで吸引し捕捉したりするというものである。
【０００５】
【特許文献１】
特開２００１−２５８４５４号公報
【特許文献２】
特開平３−１６０９４０号公報
【０００６】
【発明が解決しようとする課題】
ところで、従来の防除装置の使い方は、前記いずれか一方の防除装置だけを温室内に取付けて使用するという態様であった。
【０００７】
しかし、飛来害虫が誘引されたり忌避したりする光の波長域は、当該飛来害虫の種類により異なるので、全ての飛来害虫が青色光線に引き寄せられたり、黄色光線を忌避したりするわけではない。すなわち、飛来害虫の中には、青色光線のみに反応するものや、黄色光線のみに反応するものも存在する。
【０００８】
このため、前記一種類の防除装置だけでは、種々の飛来害虫による植物の被害を、栽培環境に応じて確実に抑制するのは難しく、植物の効果的な保護が図れないという問題があった。
【０００９】
そこで本発明は、このような現状を改善することを技術的課題とする。
【００１０】
【課題を解決するための手段】
この技術的課題を解決するため、請求項１の発明は、温室内で栽培される花卉や野菜等の植物を飛来害虫から保護する飛来害虫防除システムであって、飛来害虫の忌避や行動抑制を促す忌避灯と、飛来害虫を引き寄せる誘引灯と、飛来害虫を捕捉する捕虫器と、前記温室内外に配置した各種センサやスイッチを含む複数の入力系機器と、当該各入力系機器の制御情報に基づいて前記各灯の点灯及び消灯を制御する制御手段とを備えたというものである。
【００１１】
請求項２の発明は、請求項１に記載した飛来害虫防除システムであって、前記制御手段は、前記温室に開閉可能に設けた窓が開放している場合には、前記忌避灯のみを点灯するように制御し、前記窓が閉止している場合には、前記誘引灯のみを点灯するように制御するというものである。
【００１２】
請求項３の発明は、請求項１または２に記載した飛来害虫防除システムにおいて、前記入力系機器群のうち一つは前記温室内の雰囲気湿度を検出する湿度センサであり、前記制御手段は、前記湿度センサの制御情報により前記温室内の雰囲気湿度が設定湿度以上であると判断した場合には、前記誘引灯のみを点灯するかまたは前記両灯とも消灯するように制御するというものである。
【００１３】
請求項４の発明は、請求項１〜３のうちいずれかに記載した飛来害虫防除システムにおいて、前記入力系機器群のうち一つは前記温室内の雰囲気温度を検出する温度センサであり、前記制御手段は、前記温度センサの制御情報により前記温室内の雰囲気温度が設定温度以下であると判断した場合には、前記両灯とも消灯するように制御するというものである。
【００１４】
請求項５の発明は、請求項１〜４のうちいずれかに記載した飛来害虫防除システムにおいて、前記入力系機器群のうち一つは計時用のタイマであり、前記制御手段は、前記植物の生育初期には、前記忌避灯のみを点灯するように制御するというものである。
【００１５】
請求項６の発明は、請求項１〜５のうちいずれかに記載した飛来害虫防除システムにおいて、前記入力系機器群のうち一つは前記温室外の照度を検出する光センサであり、前記制御手段は、前記光センサの制御情報により前記温室外の照度が設定照度以上であると判断した場合には、前記両灯とも消灯するように制御するというものである。
【００１６】
【発明の実施の形態】
次に、本発明を具体化した実施形態を、植物が栽培される温室に適用した場合の図面（図１〜図５）に基づいて説明する。図１は温室の概略斜視図、図２は温室内における各装置の配置態様を示す概念図、図３のうち（ａ）は第１防虫装置の概略斜視図、（ｂ）は捕虫装置の概略斜視図、図４はコントローラの機能ブロック図、図５は各蛍光灯の点灯・消灯制御のフローチャートである。
【００１７】
図１及び図２に示すように、植物Ｐが栽培される温室１は、多数本の支柱とフレームとで骨組みが構成されている。温室１の屋根に形成した複数の開口部には、天窓２が開閉可能に取付けられている。温室１の側壁に形成した複数の開口部には、側窓３と出入り用の扉４とが開閉可能に取付けられている。天窓２及び側窓３が取付けられた各開口部には、当該各開口部を覆うように防虫ネット５が張設されている。温室１内には、白色灯や水銀灯等の照明具６が複数個配置されている。
【００１８】
本発明に係る飛来害虫防除システムは、波長域が５６０〜５９０ｎｍ程度の黄色光線を発する黄色蛍光灯１３を有する２種類の防虫装置１１，１２と、波長域が５００ｎｍ以下の青色光線（紫外線を含む）を発する青色蛍光灯１５を有する捕虫装置１４と、例えば晴雨、湿度及び気温等のような栽培環境の状態量を検出する各種センサやスイッチ等の複数の入力系機器１６と、これら各入力系機器１６の制御情報に基づいて各蛍光灯１３，１５の点灯及び消灯を制御する制御手段としてのコントローラ１７とを備えている。黄色蛍光灯１３は請求項に記載した忌避灯に相当し、青色蛍光灯１５は請求項に記載した誘引灯に相当する。
【００１９】
２種類の防虫装置１１，１２は、黄色光線で行動が抑制されるというヤガ類等の習性を利用したものである。
【００２０】
図２及び図３（ａ）に示すように、温室１内のうち各天窓２の近傍箇所に配置した第１防虫装置１１は、略椀状の反射板２１と、この反射板２１の内面（凹面）側に配置した環状の黄色蛍光灯１３と、反射板２１の外面（凸面）側から下向き突出する円筒部２１ｂに着脱可能に固定した有底筒状の捕虫器２２とを備えている。
【００２１】
第１防虫装置１１においては、反射板２１の内面（凹面）側から上向き突出する内筒部２１ａの先端は開口している。この開口は円筒部２１ｂ内を経由して捕虫器２２内に連通している。反射板２１の円筒部２１ｂ内には、黄色蛍光灯１３に近付いてきた飛来害虫を吸引するための吸引ファン２３が配置されている。詳細は図示していないが、捕虫器２２内には、飛来害虫捕獲用のネットを取付けたり、界面活性剤入りの水を溜めたりする。
【００２２】
なお、第１防虫装置１１のように捕虫器２２を備えると、黄色光線に誘引されやすい習性を有するカメムシ類等や、黄色光線から逃げようとするヤガ類等を捕捉できるので好適である。
【００２３】
図２に示すように、温室１内のうち各側窓３の近傍箇所に配置した第２防虫装置１２は、略椀状の反射板２４と、この反射板２４の内面（凹面）側に配置した環状の黄色蛍光灯１３と、反射板２４を支持する脚体２５とを備えている。
【００２４】
なお、第２防虫装置１４は脚体２５で立設するに限らず、例えば脚体２５のない第２防虫装置１４を温室１内のフレームに吊下げるようにしてもよい。第２防虫装置１４が捕虫器２２を備えるようにしてもよい。
【００２５】
温室１内に配置する捕虫装置１４は、青色光線に誘引されやすいというヤガ類等の習性を利用したものである。この捕虫装置１４は、相対向する二側面に開口部を有する略箱状の捕虫器２６と、当該捕虫器２６内に配置した略棒状の青色蛍光灯１５（実施形態では２本）とを備えている（図２及び図３（ｂ）参照）。捕虫器２６の底部には、フェロモンを含有した飛来害虫捕捉用の粘着テープ２７が配置されている。
【００２６】
図２及び図４に示すように、入力系機器１６は、各天窓２の開閉状態を検出するリミットスイッチ等の天窓開閉センサ３１と、各側窓３の開閉状態を検出するリミットスイッチ等の側窓開閉センサ３２と、温室１内の雰囲気湿度を検出するインピーダンス変化型等の湿度センサ３３と、温室１内の雰囲気温度を検出するＩＣ型等の温度センサ３４と、温室１外の照度を検出する光電効果型等の光センサ３５と、計時用のタイマ３６とにより構成されている。
【００２７】
天窓開閉センサ３１は天窓２またはその窓枠に配置されている。側窓開閉センサ３２は側窓３またはその窓枠に配置されている。湿度センサ３３及び温度センサ３４は温室１内の適宜箇所に配置されている一方、光センサ３５は温室１外の適宜箇所に配置されている。タイマ３６は各蛍光灯１３，１５の点灯及び消灯を制御するコントローラ１７に内蔵されている。５種類のセンサ３１〜３５はコントローラ１７の入力インターフェイスに接続されている（図４参照）。
【００２８】
コントローラ１７は、各種演算を実行する中央処理装置（ＣＰＵ）のほか、制御プログラムを記憶させるための読出し専用メモリ（ＲＯＭ）、各種データを記憶させるための随時読み書き可能メモリ（ＲＡＭ）、前述したタイマ３６、入力インターフェイス、及び出力インターフェイス等を備えている。
【００２９】
コントローラ１７の入力インターフェイスには、前述した５種類のセンサ３１〜３５のほか、この飛来害虫防除システム全体の電源を入り切り操作するメインスイッチやキーボード等を有する入力部３７等が接続されている。また、出力インターフェイスには、防虫装置１１，１２の黄色蛍光灯１３、捕虫装置１４の青色蛍光灯１５、及びＣＲＴモニタや液晶モニタ等の表示部３８等が接続されている。
【００３０】
次に、図５を参照しながら、コントローラ１７による各蛍光灯１３，１５の制御態様の一例について説明する。ここで、後述する設定照度ＩＬ０、設定時間ＴＭ０、設定温度ＴＰ０、及び設定湿度ＨＵ０に関するデータは、コントローラ１７のＲＯＭ等に記憶させることにより、予め設定しておく。
【００３１】
まずはじめに、光センサ３５の検出情報（制御情報）から得られた計測照度ＩＬ１が設定照度ＩＬ０以上であるか否かを判別する（ステップＳ１）。設定照度ＩＬ０は、現時点の時間帯（昼間か夜間か）及び天気（晴天か雨天・曇天か）を判断するための基準として設定したものである。
【００３２】
計測照度ＩＬ１が設定照度ＩＬ０以上であると判断したときは（Ｓ１：ＹＥＳ）、昼間の晴天時である。ヤガ類等の飛来昆虫は主に夜間に活動するので、昼間の晴天時は照明具８を点灯させない。そこで、黄色及び青色蛍光灯１３，１５をすべて消灯状態としたのち（ステップＳ２）、リターンする。
【００３３】
計測照度ＩＬ１が設定照度ＩＬ０未満であると判断したときは（Ｓ１：ＮＯ）、昼間の雨天時もしくは曇天時または夜間である。このような天気の場合は照明具８を点灯させるので、次いで、タイマ３６により植物Ｐの生育開始時からカウントしている計測時間ＴＭ１が設定時間ＴＭ０を経過したか否かを判別する（ステップＳ３）。設定時間ＴＭ０は、例えば植物Ｐの生育開始から花芽形成までの生育初期の時間を想定したものである。
【００３４】
計測時間ＴＭ１が設定時間ＴＭ０未満であると判断したときは（Ｓ３：ＮＯ）、植物Ｐは生育初期の段階にあるから、各防虫装置１１，１２の黄色蛍光灯１３だけを点灯状態とする（ステップＳ４）。その後リターンする。
【００３５】
計測時間ＴＭ１が設定時間ＴＭ０以上であると判断したときは（Ｓ３：ＹＥＳ）、次いで、温度センサ３４の検出情報（制御情報）から得られた計測温度ＴＰ１が設定温度ＴＰ０以下であるか否かを判別する（ステップＳ５）。設定温度ＴＰ０は、飛来害虫があまり活動しないような低い温度を想定したものである。
【００３６】
計測温度ＴＰ１が設定温度ＴＰ０以下であると判断したときは（Ｓ５：ＹＥＳ）、温室１内の雰囲気温度は飛来害虫があまり活動しないような低い温度であるから、黄色及び青色蛍光灯１３，１５をすべて消灯状態としたのち（ステップＳ６）、リターンする。
【００３７】
計測温度ＴＰ１が設定温度ＴＰ０よりも高いと判断したときは（Ｓ６：ＮＯ）、次いで、湿度センサ３３の検出情報（制御情報）から得られた計測湿度ＨＵ１が設定湿度ＨＵ０以上であるか否かを判別する（ステップＳ７）。設定湿度ＨＵ０は、天気（晴天・曇天か雨天か）を判断するための基準として設定したものである。
【００３８】
計測湿度ＨＵ１が設定湿度ＨＵ０以上であると判断したときは（Ｓ７：ＹＥＳ）、温室１内の雰囲気湿度が高く、温室１外の天気は飛来害虫があまり活動しない雨天であるから、捕虫装置１４の青色蛍光灯１５だけを点灯状態とするか、または黄色及び青色蛍光灯１３，１５をすべて消灯状態とする（ステップＳ８）。その後リターンする。
【００３９】
計測湿度ＨＵ１が設定湿度ＨＵ０未満であると判断したときは（Ｓ７：ＮＯ）、温室１外の天気は晴天もしくは曇天であるから、次いで、天窓開閉センサ３１及び側窓開閉センサ３２が入り状態か否かを判別する（ステップＳ９）。
【００４０】
各開閉センサ３１，３２がいずれも切り状態であるときは（Ｓ９：ＮＯ）、天窓２及び側窓３はいずれも閉止状態であるから、飛来害虫が外から温室１内に侵入するおそれは少なく、温室１内に居る飛来害虫を捕捉すれば済む。そこで、捕虫装置１４の青色蛍光灯１５だけを点灯状態としたのち（ステップＳ１０）、リターンする。
【００４１】
開閉センサ３１，３２が一つでも入り状態であるときは（Ｓ９：ＹＥＳ）、天窓２及び側窓３のうち少なくとも一つが開放状態であるから、飛来害虫を外から温室１内に侵入させないように、入り状態である開閉センサ３１，３２に対応する防虫装置１１，１２の黄色蛍光灯１３だけを点灯状態としたのち（ステップＳ１１）、リターンするのである。
【００４２】
光センサ３６による計測照度ＩＬ１が設定照度ＩＬ０以上である場合は、黄色及び青色蛍光灯１３，１５をすべて消灯状態とするから、例えば作業者が日の出後に黄色及び青色蛍光灯１３，１５を手動で消灯させるというような作業を省略することができ、作業者の負担を軽減することができる。また、時間帯（昼間か夜間か）や天気（晴天か雨天・曇天か）に応じて、黄色蛍光灯１３や青色蛍光灯１５を消灯させることができるから、無駄な電力の消費を防止することができる。これにより、ランニングコストを抑制することができる。
【００４３】
タイマ３６による計測時間ＴＭ１が設定時間ＴＭ０を経過していない場合、すなわち、植物Ｐの生育開始から花芽形成までの生育初期には、黄色蛍光灯１３だけを点灯状態とするから、飛来害虫の幼虫による食害等を確実に防ぐ必要がある生育初期において、黄色蛍光灯１３の照明で、飛来害虫が温室１内に侵入するのを防ぐとともに、飛来害虫が温室１内で産卵するのを抑制することができる。
【００４４】
またこの場合は、捕虫装置１４の青色蛍光灯１５は消灯状態であるから、飛来害虫防除システム全体では無駄な電力の消費を防止することができる。これにより、ランニングコストの抑制に寄与することができる。
【００４５】
温度センサ３４による計測温度ＴＰ１が設定温度ＴＰ０以下である場合は、黄色及び青色蛍光灯１３，１５をすべて消灯状態とするから、気温が低いために飛来害虫があまり活動しないような栽培環境では、無駄な電力の消費を防止することができ、ランニングコストの抑制に寄与することができる。また、黄色蛍光灯１３や青色蛍光灯１５を消灯させる作業を省略することができるから、作業者の負担も軽減することができる。
【００４６】
湿度センサ３３による計測湿度ＨＵ１が設定湿度ＨＵ０以上である場合は、青色蛍光灯１５だけを点灯状態とするか、または黄色及び青色蛍光灯１３，１５をすべて消灯状態とするから、飛来害虫があまり活動しない雨天時にも、無駄な電力の消費を防止することができ、ランニングコストの抑制に寄与することができる。
【００４７】
天窓開閉センサ３１及び側窓開閉センサ３２が全て切り状態である場合は、青色蛍光灯１５だけを点灯状態とするから、天窓２及び側窓３をすべて閉止している状況では、温室１内に入っている飛来害虫を青色光線で捕虫装置１４に引き寄せ、この誘引された飛来害虫を捕虫器２６内の粘着テープ２７で捕捉することができる。
【００４８】
また、この場合は、防虫装置１１，１２の黄色蛍光灯１３は消灯状態であるから、飛来害虫防除システム全体では無駄な電力の消費を防止することができる。これにより、ランニングコストの抑制に寄与することができる。
【００４９】
開閉センサ３１，３２が一つでも入り状態である場合は、入り状態である開閉センサ３１，３２に対応する黄色蛍光灯１３だけを点灯状態とするから、天窓２及び側窓３のうち一つでも開放している状況では、開放している窓２，３に対応する黄色蛍光灯１３の照明で、飛来害虫が温室１内に侵入するのを防止するとともに、飛来害虫が温室１内で産卵するのを抑制することができる。
【００５０】
また、この場合は、閉止状態の窓２，３に対応する防虫装置１１，１２の黄色蛍光灯１３や、捕虫装置１４の青色蛍光灯１５は消灯状態であるから、飛来害虫防除システム全体では無駄な電力の消費を防止することができる。これにより、ランニングコストの抑制に寄与することができる。
【００５１】
従って、本発明に係る飛来害虫防止システムによると、例えば晴雨、湿度及び気温等のような植物Ｐの栽培環境に適合するように、黄色蛍光灯１３と青色蛍光灯１５とを、同時に点灯させることなく的確に、点灯させたり消灯させたりすることができる。これにより、飛来害虫の駆除及び飛来害虫による被害の防止とを効率よく行うことができるから、前記従来のように一種類の防除装置しか使わない場合に比べて、より確実に植物Ｐを保護することができる。
【００５２】
また、黄色蛍光灯１３と青色蛍光灯１５とを、同時に点灯させることなく的確に、点灯させたり消灯させたりすることができるから、飛来害虫防除システム全体では無駄な電力の消費を防止することができる。これにより、ランニングコストの抑制に寄与することができる。
【００５３】
しかも、例えば時間帯（昼間か夜間か）や天気（晴天か雨天・曇天か）等のような栽培環境に応じて、自動的に、黄色蛍光灯１３や青色蛍光灯１５を点灯させたり消灯させたりすることができるから、作業者が一々点灯・消灯作業をする必要がない。従って、作業者による点灯・消灯作業を省略することができ、作業者の負担を軽減することができる。
【００５４】
さらに、黄色蛍光灯１３と青色蛍光灯１５との組合せで、飛来害虫による被害を防除することができるから、植物Ｐへの農薬使用量を削減することができるだけでなく、作業者が農薬散布する労力を軽減することもできる。
【００５５】
本発明は、前述した実施形態に限らず、様々な態様に具体化できる。例えばコントローラ１７による各蛍光灯１３，１５の制御態様は、前述の実施形態のものに限定されない。各入力系機器１６の検出情報（制御情報）に基づく判別順序は、適宜入れ替えたり組合せたりすることが可能であることはいうまでもない。
【００５６】
また、入力系機器１６の組合せは、前記した５種類のセンサ３１〜３５及びタイマ３６に限らず、植物の種類、栽培環境、及び飛来害虫の種類に応じて、適宜選択して組合せることが可能である。この場合は、以下に示す表１の点灯・消灯制御を実行すればよい。
【００５７】
【表１】
2005046018.tif 000003
この表１は、栽培環境及び入力系機器１６と、コントローラ１７による各蛍光灯１３，１５の制御態様との関係を示したものである。表１では○が点灯状態を示し、×が消灯状態を示している。
【００５８】
例えば天窓及び側窓開閉センサ３１，３２の検出情報（制御情報）により、天窓２及び側窓３が一つでも開放状態であると判断した場合は、黄色蛍光灯１３のみを点灯状態とする。また、天窓及び側窓開閉センサ３１，３２の検出情報（制御情報）により、すべての天窓２及び側窓３が閉止状態であると判断した場合は、青色蛍光灯１５のみを点灯状態とする。
【００５９】
なお、天窓及び側窓開閉センサ３１，３２に代わる入力系機器１６として、例えば各窓２，３の開閉操作のための開閉スイッチを採用してもよい。この場合、当該開閉スイッチの制御情報に基づいて、天窓２及び側窓３が一つでも開放状態であると判断した場合は、黄色蛍光灯１３のみを点灯状態とする。また、すべての天窓２及び側窓３が閉止状態であると判断した場合は、青色蛍光灯１５のみを点灯状態とするのである。この制御態様は、前述した実施形態の場合にも適用することができる。
【００６０】
湿度センサ３３の検出情報（制御情報）により、温室１内の雰囲気湿度が設定湿度以上であると判断した場合、すなわち温室１外の天気が雨天である場合は、青色蛍光灯１５だけを点灯状態とするか、または黄色及び青色蛍光灯１３，１５をすべて消灯状態とする。なお、湿度センサ３３も、インピーダンス変化型のものに限らず、例えば乾湿球式センサ等、様々なタイプのものを採用できる。
【００６１】
温度センサ３４の検出情報（制御情報）により、温室１内の雰囲気温度が設定温度以下であると判断した場合、すなわち外気温が低い場合は、黄色及び青色蛍光灯１３，１５をすべて消灯状態とする。なお、温度センサ３４も、ＩＣ型のものに限らず、例えば測温抵抗体等、様々なタイプのものを採用できる。
【００６２】
タイマ３６での計時に基づいて植物Ｐの生育初期の段階であると判断した場合は、黄色蛍光灯１３だけを点灯状態とする。
【００６３】
光センサ３５の検出情報（制御情報）により、温室１外の照度が設定照度以上であると判断した場合、すなわち昼間の晴天時には、黄色及び青色蛍光灯１３，１５をすべて消灯状態とするのである。
【００６４】
これら各制御を実行した場合も、例えば晴雨、湿度及び気温等のような植物の栽培環境に適合するように、黄色蛍光灯１３と青色蛍光灯１５とを、同時に点灯させることなく的確に、点灯させたり消灯させたりすることができるから、飛来害虫の駆除及び飛来害虫による被害の防止とを効率よく行うことができるのである。
【００６５】
なお、忌避灯は、前述した黄色蛍光灯１３に限らず、白色蛍光灯や白熱灯等のような通常の照明具に黄色フィルタを取付けたものであったり、黄色ＬＥＤ（発光ダイオード）灯であったりしてもよい。また同様に、誘引灯も、前述した青色蛍光灯１５に限らず、白色蛍光灯や白熱灯等のような通常の照明具に青色フィルタを取付けたものであったり、青色ＬＥＤ（発光ダイオード）灯であったりしてもよい。
【００６６】
【発明の効果】
以上説明したように、請求項１の発明に係る飛来害虫防除システムは、飛来害虫の忌避や行動抑制を促す忌避灯と、飛来害虫を引き寄せる誘引灯と、飛来害虫を捕捉する捕虫器と、前記温室内外に配置した各種センサやスイッチを含む複数の入力系機器と、当該各入力系機器の制御情報に基づいて前記各灯の点灯及び消灯を制御する制御手段とを備えたというものである。
【００６７】
このように構成すると、例えば晴雨、湿度及び気温等のような植物の栽培環境に適合するように、前記忌避灯と前記誘引灯とを、同時に点灯させることなく的確に、点灯させたり消灯させたりすることができる。これにより、飛来害虫の駆除及び飛来害虫による被害の防止とを効率よく行うことができるから、前記従来のように一種類の防除装置しか使わない場合に比べて、より確実に植物を保護することができるという効果を奏する。
【００６８】
また、前記忌避灯と前記誘引灯とを、同時に点灯させることなく的確に点灯させたり消灯させたりするから、飛来害虫防除システム全体では無駄な電力の消費を防止することができる。これにより、ランニングコストの抑制に寄与することができるという効果も奏する。
【００６９】
請求項２のように構成すると、前記温室に開閉可能に設けた窓が開放状態である場合は、前記忌避灯のみを点灯するから、この忌避灯の照明で、飛来害虫が前記温室内に侵入するのを防止するとともに、飛来害虫が前記温室内で産卵するのを抑制することができるという効果を奏する。
【００７０】
また、前記窓が閉止状態である場合は、前記誘引灯のみを点灯するから、前記窓を閉止している状況では、前記温室内に居る飛来害虫を青色光線で前記捕虫器に引き寄せ、この誘引された飛来害虫を前記捕虫器内に捕捉することができるという効果を奏する。
【００７１】
請求項３のように構成すると、前記温室内の雰囲気湿度を検出する湿度センサの制御情報により、前記温室内の雰囲気湿度が設定湿度以上であると判断した場合は、前記誘引灯のみを点灯するかまたは前記両灯とも消灯するから、飛来害虫があまり活動しない雨天時にも、無駄な電力の消費を防止することができ、ランニングコストの抑制に寄与することができるという効果を奏する。
【００７２】
請求項４のように構成すると、前記温室内の雰囲気温度を検出する温度センサの制御情報により、前記温室内の雰囲気温度が設定温度以下であると判断した場合は、前記両灯とも消灯するから、気温が低いために飛来害虫があまり活動しないような栽培環境では、無駄な電力の消費を防止することができ、この場合もランニングコストの抑制に寄与することができるという効果を奏する。
【００７３】
請求項５のように構成すると、タイマでの計時に基づいて前記植物の生育初期の段階であると判断した場合は、前記忌避灯のみを点灯するから、飛来害虫の幼虫による食害等を防ぐ必要がある生育初期において、前記忌避灯の照明で、飛来害虫が前記温室内に侵入するのを防止するとともに、飛来害虫が前記温室内で産卵するのを抑制することができるという効果を奏する。
【００７４】
請求項６のように構成すると、前記温室外の照度を検出する光センサの制御情報により、前記温室外の照度が設定照度以上であると判断した場合は、前記両灯とも消灯するから、例えば作業者が、日の出後に前記忌避灯及び前記誘引灯を消灯させる作業をする必要がない。これにより、作業者が自ら消灯する作業を省略することができ、作業者の負担を軽減することができるという効果を奏する。
【図面の簡単な説明】
【図１】本発明に係る飛来害虫防除システムを適用した温室の概略斜視図である。
【図２】温室内における各装置の配置態様を示す概念図である。
【図３】（ａ）は第１防虫装置の概略斜視図、（ｂ）は捕虫装置の概略斜視図である。
【図４】コントローラの機能ブロック図である。
【図５】各蛍光灯の点灯・消灯制御のフローチャートである。
【符号の説明】
１  温室
２  天窓
３  側窓
１１，１２  防虫装置
１３  忌避灯としての黄色蛍光灯
１４  捕虫装置
１５  誘引灯としての青色蛍光灯
１６  入力系機器
１７  制御手段としてのコントローラ
３１  天窓開閉センサ
３２  側窓開閉センサ
３３  湿度センサ
３４  温度センサ
３５  光センサ
３６  タイマ
【図１】
2005046018.tif 000004
【図２】
2005046018.tif 000005
【図３】
2005046018.tif 000006
【図４】
2005046018.tif 000007
【図５】
2005046018.tif 000008